(57)【要約】【課題】  二枚の板ガラス間の間隔に制約がある複層ガラスについて、両ガラスに部分的に設けられる不透明部の間隔を容易に確保し、有効な視線遮断効果を得るようにする。【解決手段】  二枚の板ガラス２２・２３が枠体を介して平行に所定間隔をあけて配置され、両板ガラス２２・２３間に空気層７が形成された複層ガラス２１において、一方の板ガラス２２における空気層７側面の一部および他方の板ガラス２３における空気層７と反対側面の一部に、それぞれ不透明部２４・２５が設けられており、各不透明部２４・２５の幅Ｗ１と不透明部２４・２５が設けられた両板ガラス２２・２３の加工面間の距離Ｌ１とをほぼ同一とすることにより、当該複層ガラス２１のガラス面に対して４５°またはその付近の視線を有効に遮断する。【選択図】  図２           
2005105653.tif 000002
【特許請求の範囲】
【請求項１】
二枚の板ガラスが枠体を介して平行に所定間隔をあけて配置され、両板ガラス間に空気層が形成された建具において、一方の板ガラスにおける空気層側面の一部および他方の板ガラスにおける空気層と反対側面の一部に、それぞれ不透明部または半透明部が設けられた、二枚ガラスの建具。
【請求項２】
一方の板ガラスが室外側に配置され、他方の板ガラスが室内側に配置されている、請求項１記載の二枚ガラスの建具。
【請求項３】
両板ガラスにおける不透明部または半透明部が互いに同じ位置に設けられている、請求項１または請求項２記載の二枚ガラスの建具。
【請求項４】
両板ガラスにおける不透明部または半透明部がほぼ同じ模様に描成され、且つ一方の板ガラスの模様が他方の板ガラスの模様に対して板ガラスの長さ方向に所定長だけずれている、請求項１または請求項２記載の二枚ガラスの建具。
【請求項５】
両板ガラスの不透明部または半透明部が縦縞模様または横縞模様に描成されている、請求項１〜請求項４のうちのいずれか一項記載の二枚ガラスの建具。
【請求項６】
縦縞模様または横縞模様を構成する各不透明部または各半透明部の幅が、一方の板ガラスと他方の板ガラスとで互いに異なる、請求項５記載の二枚ガラスの建具。
【請求項７】
縦縞模様または横縞模様を構成する各不透明部または各半透明部の幅と両板ガラスにおける不透明部または半透明部が形成された加工面間の距離とが同一である、請求項５記載の二枚ガラスの建具。
【発明の詳細な説明】
【技術分野】
【０００１】
本発明は、複層ガラス（ペアガラス）や内窓と外窓とよりなる二重サッシ等の二枚ガラスの建具に関する。
【背景技術】
【０００２】
近年、省エネルギーや窓の結露防止等の観点から、複層ガラスや二重サッシが普及してきている。また更に、前記省エネルギー等の目的に加えて、一定角度からの光や人の視線を遮断するために、図５および図６に示すように、二枚のガラスパネル５１・５２における各内側面（空気層５７側面）５１ａ・５２ａに、全体として横縞模様等を構成するように不透明または半透明の遮光部５３・５４を設けた複層ガラス５０も知られている。
【特許文献１】特開２００２−１６７２４７号公報
【発明の開示】
【発明が解決しようとする課題】
【０００３】
近年、前述したように、省エネルギーや窓の結露防止等の他に、防犯上またはプライバシー保護の観点より、室外からの人の視線を遮断する必要性が高まっている。
【０００４】
そして、例えば、他人が通行する道路から低い位置にある家の窓において、前記複層ガラス５０を用いて、上方からの他人の視線を遮断する場合、図６に示すように、二枚のガラスパネル５１・５２において、遮光部５３と遮光部５４とが対向して設けられているため、複層ガラス５０の正面からの視線Ａについては、二枚のガラスパネル５１・５２の透明部５５・５６を介して室内外が断続的に見通せる一方、上方からの視線Ｂについては、遮光部５３・５４によって遮断される。
【０００５】
しかしながら、前記複層ガラス５０は、一般に使用されている単板ガラスに代えて建物の窓サッシに使用されるため、通常、二枚のガラスパネル５１・５２間の距離Ｌ５が数ｍｍ〜１０ｍｍ前後と狭い。そのため、前記複層ガラス５０のように、二枚のガラスパネル５１・５２における各内側面（空気層５７側面）５１ａ・５２ａに遮光部５３・５４を設けた構造では、遮光部５３・５４間の距離Ｌ５が遮光部５３・５４の幅Ｗ５に対して短くなり、その結果、前記視線Ｂのように、ガラス面に対して高角な視線しか遮断できず、実際上有効な４５°またはその付近の視線Ｃについては、遮断できず、透明部５５・５６を介して室内が見えてしまう場合が多い。
【０００６】
また、前記問題に対処するために、遮光部５３・５４の幅Ｗ５を遮光部５３・５４間の距離Ｌ５に対応して狭くすることが考えられるが、この場合、ガラスパネル５１・５２全体として、透明部５５・５６の数が増えることから、ガラスパネル５１・５２全体としての視線遮断効果が低下してしまうという新たな問題が生ずる。更に、遮光部５３・５４の幅Ｗ５の幅を狭くした場合には、これに対応して透明部５５・５６の幅も狭くなるため、室内から窓に近づいて室外の天候や様子を見る場合に、狭い幅の透明部５５・５６から室外を見ることとなり、窓から室外を見難くなるという不都合も生ずる。
【０００７】
本発明の目的は、前述したような問題に鑑みて、複層ガラスにおいても二枚の板ガラスの不透明部または半透明部（遮光部）間の距離を容易に確保し、有効な視線遮断効果を得ることができる建具を提供することにある。
【課題を解決するための手段】
【０００８】
請求項１記載の本発明は、二枚の板ガラスが枠体を介して平行に所定間隔をあけて配置され、両板ガラス間に空気層が形成された建具において、一方の板ガラスにおける空気層側面の一部および他方の板ガラスにおける空気層と反対側面の一部に、それぞれ不透明部または半透明部が設けられたものである。
【０００９】
本発明において、「板ガラス」には、透明なアクリル板、ポリカーボネート板等の合成樹脂板も含まれる。
【００１０】
また、本発明において、建具には、窓サッシ等のように建物と外部とを仕切るものの他、扉等のように建物の内部を仕切るものも含まれる。
【００１１】
更に、前記二枚ガラスの窓サッシには、複層ガラス（ペアガラス）の他、内窓と外窓とよりなる二重窓ガラスも含まれる。
【００１２】
前記不透明部または半透明部の加工手段としては、サンドブラスト、フロスト等のスリ加工、エッチングまたは熱処理、或いはカッティングシート、シルク印刷等が挙げられる。
【００１３】
前記不透明部または半透明部は、後述する縦縞模様または横縞模様を構成するように設けられる他、市松模様や散点模様等、種々の模様やデザインを構成するように設けられる。
【００１４】
請求項２記載の本発明は、前記請求項１記載の建具について、一方の板ガラスが室外側に配置され、他方の板ガラスが室内側に配置されていることを特徴とするものである。
【００１５】
請求項３記載の本発明は、前記請求項１または請求項２記載の建具について、両板ガラスにおける不透明部または半透明部が互いに同じ位置に設けられていることを特徴とするものである。
【００１６】
請求項４記載の本発明は、前記請求項１または請求項２記載の建具について、両板ガラスにおける不透明部または半透明部がほぼ同じ模様に描成され、且つ一方の板ガラスの模様が他方の板ガラスの模様に対して板ガラスの長さ方向に所定長だけずれていることを特徴とするものである。
【００１７】
請求項５記載の本発明は、前記請求項１〜請求項４のうちのいずれか一項記載の建具について、両板ガラスの不透明部または半透明部が縦縞模様または横縞模様に描成されていることを特徴とするものである。
【００１８】
前記縦縞模様の不透明部または半透明部が描成された場合には、両板ガラスの正面方向と左右斜め方向からの視線が制御され、前記横縞模様の不透明部または半透明部が描成された場合には、両板ガラスの正面方向と上下斜め方向からの視線が制御される。
【００１９】
請求項６記載の本発明は、前記請求項５記載の建具について、縦縞模様または横縞模様を構成する不透明部または半透明部の幅が互いに異なることを特徴とするものである。
【００２０】
請求項７記載の本発明は、前記請求項５記載の建具について、縦縞模様または横縞模様を構成する各不透明部または各半透明部の幅と両板ガラスにおける不透明部または半透明部が形成された加工面間の距離とが同一となされていることを特徴とするものである。
【発明の効果】
【００２１】
本発明によれば、一方の板ガラスにおける空気層側面の一部および他方の板ガラスにおける空気層と反対側面の一部に、それぞれ不透明部または半透明部が設けられているため、１枚の板ガラスの厚み分だけ両板ガラスの不透明部または半透明部の加工面間距離が長くなる。従って、例えば両板ガラスに縦縞模様または横縞模様の不透明部または半透明部を設けた場合、種々の仕様の複層ガラスにおいても、その両板ガラスの不透明部または半透明部の加工面間距離を、縦縞模様または横縞模様を構成する各不透明部または各半透明部の幅と同一にすることが容易に行え、実際上、視線遮断効果が大きい４５°またはその付近の視線を有効に遮断することができる。また、不透明部または半透明部の加工面間距離と縦縞模様または横縞模様を構成する各不透明部または各半透明部の幅とを同一にするために、従来のように、板ガラス全体として透明部の数を増加させる必要もないため、複層ガラス全体としてのブラインド効果を低下させることもない。
【００２２】
この他、一方の板ガラスが室外側に配置され、他方の板ガラスが室内側に配置されている本発明の建具によれば、一方の板ガラスの不透明部または半透明部は複層ガラスの空気層に面するため、埃等が付かず、また他方の板ガラスの不透明部または半透明部は複層ガラスにおける空気層と反対側にあるため、埃等が付くものの、室内側に面するため、埃等の付き具合が室外側に比べて少なく、また付着した埃等は室内側から清掃により簡単に除去することができる。
【発明を実施するための最良の形態】
【００２３】
次に、本発明を複層ガラスに適用した場合の実施形態について図面に基づき説明する。
【００２４】
先ず、以下の各実施形態で述べる複層ガラスの基本的構造について説明すると、図１に示すように、複層ガラス１は、二枚の板ガラス２・３と、板ガラス２・３間に介在された逆凹形のスペーサー４と、二枚の板ガラス２・３間の四辺を密封する封着剤５と、封着剤５とスペーサー４間に充填された乾燥剤６とによって構成されており、二枚の板ガラス２・３間には空気層７が形成されている。
【００２５】
（実施形態１）
【００２６】
図２に示すように、本実施形態の複層ガラス２１は、二枚の板ガラス２２・２３に横縞模様の不透明部２４・２５が形成されている。板ガラス２２は室外側に配置され、該板ガラス２２の空気層７側面に前記不透明部２４がサンドブラスト等によって形成されている。
一方、板ガラス２３は室内側に配置され、該板ガラス２３における空気層７と反対側面（室内側）に不透明部２５が同じくサンドブラスト等によって形成されている。
【００２７】
そして、横縞模様を構成する各不透明部２４と各不透明部２５とは、板ガラス２２・２３において、互いに対応する位置に形成されており、且つ各不透明部２４・２５の幅Ｗ１と両板ガラス２２・２３の不透明部２４・２５間の距離Ｌ１とが同一となされている。
【００２８】
本実施形態の複層ガラス２１によれば、正面方向からの視線（矢印Ａ）に対しては、二枚の板ガラス２２・２３の透明部２６・２７を通して複層ガラス２１の反対側を断続的に見ることができる。
【００２９】
一方、複層ガラス２１の板ガラス面に対して斜め上方向（４５°）からの視線（矢印Ｂ）および斜め下方向（４５°）からの視線（矢印Ｃ）は、板ガラス２３の不透明部２５により遮断される。
【００３０】
そのため、本実施形態の複層ガラス２１によれば、例えば道路から上位または下位にある建物の窓において、道路からの人の視線を遮断することとなるが、前述した窓ガラス面に対して４５°の角度の視線を遮断することができるため、窓のブラインド効果が高い。
【００３１】
（実施形態２）
【００３２】
図３に示すように、本実施形態の複層ガラス３１は、二枚の板ガラス３２・３３に横縞模様の不透明部３４・３５が形成されている。板ガラス３２は室外側に配置され、該板ガラス３２の空気層７側面に前記不透明部３４が形成されている。一方、板ガラス３３は室内側に配置され、該板ガラス３３における空気層７と反対側面（室内側）に前記不透明部３５が形成されている。
【００３３】
そして、横縞模様を構成する各不透明部３４と各不透明部３５とは、板ガラス３２と板ガラス３３とにおいて、互いに交互の位置に形成されており、且つ各不透明部３４・３５の幅Ｗ１と両板ガラス３２・３３の不透明部３４・３５間の距離Ｌ１とが同一となされている。
【００３４】
本実施形態の複層ガラス３１によれば、正面方向からの視線（矢印Ａ）は、不透明部３４・３５によって遮断される一方、複層ガラス３１の板ガラス面に対して斜め上方向（４５°）からの視線（矢印Ｂ）および斜め下方向（４５°）からの視線（矢印Ｃ）については、二枚の板ガラス３２・３３の透明部３６・３７を通して複層ガラス３１の反対側を断        
続的に見ることができる。
【００３５】
そのため、本実施形態の複層ガラス３１によれば、例えば、隣接する家の窓と向かい合う窓において、隣人の正面からの視線を遮断することができる一方、斜め上方向からの太陽光を取り入れると共に、家の庭を見下ろすことができる。
【００３６】
（実施形態３）
【００３７】
図４に示すように、本実施形態の複層ガラス４１は、二枚の板ガラス４２・４３に横縞模様の不透明部４４・４５が形成されている。板ガラス４２は室外側に配置され、該板ガラス４２の空気層７側面に前記不透明部４４が形成されている。一方、板ガラス４３は室内側に配置され、該板ガラス４３における空気層７と反対側面（室内側）に不透明部４５が形成されている。
【００３８】
そして、横縞模様を構成する各不透明部４４と各不透明部４５とは、板ガラス４２と板ガラス４３とにおいて、互いに交互の位置に形成されており、且つ板ガラス４２における各不透明部４４の幅Ｗ２は板ガラス４３における各不透明部４５の幅Ｗ３よりも若干広くなされ、また両板ガラス４２・４３の不透明部４４・４５間の距離Ｌ１は、前記板ガラス４３における不透明部４５の幅Ｗ３と同じとされている。
【００３９】
本実施形態の複層ガラス４１によれば、前記実施形態２の複層ガラス３１と同様の視覚効果が得られ、また板ガラス４２における各不透明部４４の幅Ｗ２は板ガラス４３における各不透明部４５の幅Ｗ３よりも若干広くなされているため、視線遮断効果が更に強化される。
【産業上の利用可能性】
【００４０】
本発明に係る二枚ガラスの建具は、窓における視線および光線の制御を行うことができる他、建物の玄関や建物内部の仕切り部に用いて、該部における視線等の制御に利用することもできる。
【図面の簡単な説明】
【００４１】
【図１】実施形態に係る複層ガラスの基本構造を示す断面図である。
【図２】実施形態１の複層ガラスの基本構造を示す断面図である。
【図３】実施形態２の複層ガラスの基本構造を示す断面図である。
【図４】実施形態３の複層ガラスの基本構造を示す断面図である。
【図５】横縞模様を描成した複層ガラスの正面図である。
【図６】従来例に係る複層ガラスの断面図である。
【符号の説明】
【００４２】
１  複層ガラス
２  一方の板ガラス
３  他方の板ガラス
４  スペーサー
５  封着剤
６  乾燥剤
【図１】
2005105653.tif 000003
【図２】
2005105653.tif 000004
【図３】
2005105653.tif 000005
【図４】
2005105653.tif 000006
【図５】
2005105653.tif 000007
【図６】
2005105653.tif 000008